(57)【要約】【課題】あるコンテンツが提供される機会を利用して、当該あるコンテンツに関連する別のコンテンツを当該あるコンテンツとは別の手段により提供する。【解決手段】画像形成装置は、ユーザから与えられた識別情報を特定し（Ｓａ１）、識別情報に関連付けられた表示データとプリントデータを特定する（Ｓａ２）。表示データとプリントデータは、互いに異なる商品やサービスの広告等を表すデータであり、互いに関連付けられたデータである。画像形成装置は、表示データに応じた広告をタッチスクリーンなどの表示手段によって表示するとともに（Ｓａ３）、プリントデータに応じた画像を形成する（Ｓａ４）。【選択図】図４
2014206854.tif 000002
【特許請求の範囲】
【請求項１】
第１コンテンツと、当該第１コンテンツとは異なる第２コンテンツであって、当該第１コンテンツに関連付けられる第２コンテンツとを取得する第１取得手段と、
前記第１コンテンツに応じた広告を表示手段に表示させる表示制御手段と、
前記表示手段による前記広告の表示に対応して行われるユーザの操作に応じて、前記第１コンテンツ及び前記第２コンテンツに応じた情報を出力手段に出力させる出力制御手段と
を備える情報処理装置。
【請求項２】
ユーザ情報を取得する第２取得手段と、
前記ユーザ情報に基づき、前記第１コンテンツと前記第２コンテンツの少なくともいずれかを複数の候補の中から選択する選択手段と
を備える請求項１に記載の情報処理装置。
【請求項３】
ユーザの操作を受け付ける受付手段を備え、
前記出力制御手段は、
前記表示手段による前記広告の表示に対応して前記受付手段により受け付けられた前記操作に応じて、前記出力手段による出力を制御する
請求項１又は２に記載の情報処理装置。
【請求項４】
前記操作に応じた前記出力手段による出力結果を記録する記録手段を備える
請求項１ないし３のいずれか１項に記載の情報処理装置。
【請求項５】
前記表示制御手段は、
少なくとも前記出力手段による前記情報の出力に伴う待ち時間に、前記表示手段に前記広告を表示させる
請求項１ないし４のいずれか１項に記載の情報処理装置。
【請求項６】
前記表示制御手段は、
前記待ち時間の長さに応じて、前記表示手段に表示させる前記広告を異ならせる
請求項５に記載の情報処理装置。
【請求項７】
第１コンテンツと、当該第１コンテンツとは異なる第２コンテンツであって、当該第１コンテンツに関連付けられる第２コンテンツとを取得する第１取得手段と、
前記第１コンテンツに応じた広告を表示手段に表示させる表示制御手段と、
前記表示手段による前記広告の表示に対応して行われるユーザの操作に応じて、前記第１コンテンツ及び前記第２コンテンツに応じた画像を形成する画像形成手段と
を備える画像形成装置。
【請求項８】
コンピュータを、
第１コンテンツと、当該第１コンテンツとは異なる第２コンテンツであって、当該第１コンテンツに関連付けられる第２コンテンツとを取得する第１取得手段と、
前記第１コンテンツに応じた広告を表示手段に表示させる表示制御手段と、
前記表示手段による前記広告の表示に対応して行われるユーザの操作に応じて、前記第１コンテンツ及び前記第２コンテンツに応じた情報を出力手段に出力させる出力制御手段
として機能させるためのプログラム。
【発明の詳細な説明】
【技術分野】
【０００１】
本発明は、情報処理装置、画像形成装置及びプログラムに関する。
【背景技術】
【０００２】
特許文献１には、画像形成装置において、ウォームアップ中などに画像形成動作とは無関係な広告情報を表示部に表示することが記載されている。
【先行技術文献】
【特許文献】
【０００３】
【特許文献１】特開２００１−１０１７４号公報
【発明の概要】
【発明が解決しようとする課題】
【０００４】
本発明の目的は、あるコンテンツが提供される機会を利用して、当該あるコンテンツに関連する別のコンテンツを当該あるコンテンツとは別の手段により提供することにある。
【課題を解決するための手段】
【０００５】
本発明の請求項１に係る情報処理装置は、第１コンテンツと、当該第１コンテンツとは異なる第２コンテンツであって、当該第１コンテンツに関連付けられる第２コンテンツとを取得する第１取得手段と、前記第１コンテンツに応じた広告を表示手段に表示させる表示制御手段と、前記表示手段による前記広告の表示に対応して行われるユーザの操作に応じて、前記第１コンテンツ及び前記第２コンテンツに応じた情報を出力手段に出力させる出力制御手段とを備える構成を有する。
【０００６】
本発明の請求項２に係る情報処理装置は、請求項１に記載の構成において、ユーザ情報を取得する第２取得手段と、前記ユーザ情報に基づき、前記第１コンテンツと前記第２コンテンツの少なくともいずれかを複数の候補の中から選択する選択手段とを備える構成を有する。
本発明の請求項３に係る情報処理装置は、請求項１又は２に記載の構成において、ユーザの操作を受け付ける受付手段を備え、前記出力制御手段は、前記表示手段による前記広告の表示に対応して前記受付手段により受け付けられた前記操作に応じて、前記出力手段による出力を制御する構成を有する。
本発明の請求項４に係る情報処理装置は、請求項１ないし３のいずれか１項に記載の構成において、前記操作に応じた前記出力手段による出力結果を記録する記録手段を備える構成を有する。
本発明の請求項５に係る情報処理装置は、請求項１ないし４のいずれか１項に記載の構成において、前記表示制御手段は、少なくとも前記出力手段による前記情報の出力に伴う待ち時間に、前記表示手段に前記広告を表示させる構成を有する。
本発明の請求項６に係る情報処理装置は、請求項５に記載の構成において、前記表示制御手段は、前記待ち時間の長さに応じて、前記表示手段に表示させる前記広告を異ならせる構成を有する。
【０００７】
本発明の請求項７に係る画像形成装置は、第１コンテンツと、当該第１コンテンツとは異なる第２コンテンツであって、当該第１コンテンツに関連付けられる第２コンテンツとを取得する第１取得手段と、前記第１コンテンツに応じた広告を表示手段に表示させる表示制御手段と、前記表示手段による前記広告の表示に対応して行われるユーザの操作に応じて、前記第１コンテンツ及び前記第２コンテンツに応じた画像を形成する画像形成手段とを備える構成を有する。
【０００８】
本発明の請求項８に係るプログラムは、コンピュータを、第１コンテンツと、当該第１コンテンツとは異なる第２コンテンツであって、当該第１コンテンツに関連付けられる第２コンテンツとを取得する第１取得手段と、前記第１コンテンツに応じた広告を表示手段に表示させる表示制御手段と、前記表示手段による前記広告の表示に対応して行われるユーザの操作に応じて、前記第１コンテンツ及び前記第２コンテンツに応じた情報を出力手段に出力させる出力制御手段として機能させるためのプログラムである。
【発明の効果】
【０００９】
本発明の請求項１、７、８に記載の構成によれば、あるコンテンツが提供される機会を利用して、当該あるコンテンツに関連する別のコンテンツを当該あるコンテンツとは別の手段により提供することができる。
本発明の請求項２に記載の構成によれば、ユーザ情報に応じたコンテンツを提供することができる。
本発明の請求項３に記載の構成によれば、ユーザの操作に応じて出力手段による出力結果を異ならせることができる。
本発明の請求項４に記載の構成によれば、出力手段による出力結果を他の用途に利用することができる。
本発明の請求項５に記載の構成によれば、待ち時間を利用してユーザに広告を見せることができる。
本発明の請求項６に記載の構成によれば、待ち時間の長さに応じた広告をユーザに見せることができる。
【図面の簡単な説明】
【００１０】
【図１】情報処理装置の機能的構成を示すブロック図
【図２】画像形成装置のハードウェア構成を示すブロック図
【図３】データ構造を例示する図
【図４】画像形成装置の処理を示すフローチャート（動作例１）
【図５】データ構造を例示する図
【図６】データ構造を例示する図
【図７】画像形成装置の処理を示すフローチャート（動作例２）
【図８】データ構造を例示する図
【図９】画像形成装置の処理を示すフローチャート（動作例３）
【図１０】ＵＩ部により表示される画面の一例を示す図
【発明を実施するための形態】
【００１１】
［実施例］
図１は、本発明に係る情報処理装置１０の機能的構成を示すブロック図である。情報処理装置１０は、第１取得手段１１と、第２取得手段１２と、表示制御手段１３と、出力制御手段１４と、選択手段１５と、記録手段１６とを備える。また、情報処理装置１０に付随する構成要素として、受付手段２０、表示手段３０及び出力手段４０がある。情報処理装置１０は、例えば、後述する制御部１１０などのコンピュータがプログラムを実行することによって実現されるものである。
【００１２】
受付手段２０は、ユーザの操作を受け付ける手段である。受付手段２０は、例えば、キーボード、マウスなどの入力装置によって実現されるが、音声認識を用いて音声によって操作が受け付けられてもよい。受付手段２０は、ユーザの操作を受け付け、受け付けたユーザの操作を示す操作情報を情報処理装置１０に供給する。
【００１３】
表示手段３０は、情報を表示する手段である。表示手段３０は、特に、情報として広告を表示する。ここにおいて、広告とは、商品、サービス（役務）などを知らしめ宣伝するための文字や画像をいう。広告は、静止画として表示されてもよいし、動画として表示されてもよい。表示手段３０は、液晶表示素子や有機ＥＬ（electroluminescence）表示素子を用いた表示装置によって実現されてもよいし、プロジェクタのように画像を壁面やスクリーンに投射するものであってもよい。
【００１４】
出力手段４０は、情報を出力する手段である。ここでいう出力とは、情報を閲覧可能に記録することをいい、表示手段３０のような表示をも含む（ただし、出力手段４０は、表示手段３０とはハードウェア的には別異の構成要素である。）。出力手段４０としては、例えば、情報を用紙に記録するもの（プリンタ等）、情報をメモリカードやＩＣ（Integrated Circuit）チップに電磁的に記録するもの、情報を電子メールなどの電子的なメッセージに含めて送信するものなどが挙げられる。すなわち、出力手段４０による出力は、必ずしも出力時に情報が閲覧可能であることを要するものではなく、他の電子機器などを利用して事後的に情報が閲覧可能になるものであってもよい。また、ここでいうプリンタには、３次元情報に基づいて立体物を造形する３Ｄプリンタが含まれる。
【００１５】
第１取得手段１１は、コンテンツを取得する手段である。第１取得手段１１は、第１コンテンツと、当該第１コンテンツに関連付けられる第２コンテンツとを取得する。第１コンテンツは、ここでは、表示手段３０によって表示される広告を表すコンテンツである。一方、第２コンテンツは、出力手段４０によって出力される情報を表すコンテンツである。なお、ここでいうコンテンツは、デジタルコンテンツであり、情報そのものに限らず、コンピュータを介して情報を提供するためのプログラムを含んでもよい。第１取得手段１１は、記憶媒体に記録されたコンテンツを読み出して取得するものと、（有線又は無線の）通信回線を介してコンテンツを受信して取得するもののいずれであってもよい。
【００１６】
第１コンテンツと第２コンテンツは、あらかじめ関連付けられた状態で取得されてもよいし、外部から取得された後に情報処理装置１０の内部で関連付けられてもよい。すなわち、第１取得手段１１は、第１コンテンツと第２コンテンツとを同時に取得しなくてもよいし、第１コンテンツと第２コンテンツとを別の経路で取得してもよい。例えば、第１取得手段１１は、第１コンテンツ及び第２コンテンツの一方を通信回線を介して取得し、他方を記憶媒体から読み出して取得してもよい。
【００１７】
第２取得手段１２は、ユーザ情報を取得する手段である。ここにおいて、ユーザ情報とは、ユーザを特徴付ける情報をいう。例えば、ユーザ情報は、ユーザの性別、年齢（又は生年月日）、住所、職業、趣味嗜好などの当該ユーザの属性を表す情報である。第２取得手段１２は、ユーザによってあらかじめ設定されたユーザ情報を通信回線を介して取得してもよいが、受付手段２０を介して、すなわちユーザの操作によってユーザ情報を取得してもよい。
【００１８】
表示制御手段１３は、表示手段３０による表示を制御する手段である。すなわち、表示制御手段１３は、広告を表示手段３０に表示させる手段である。表示制御手段１３は、第１取得手段１１により取得されたコンテンツのうちの第１コンテンツを用いて、表示手段３０に第１コンテンツに応じた広告を表示させる。
【００１９】
出力制御手段１４は、出力手段４０による出力を制御する手段である。すなわち、出力制御手段１４は、情報を出力手段４０に出力させる手段である。出力制御手段１４は、第１取得手段１１により取得されたコンテンツのうちの第２コンテンツを用いて、出力手段４０に第２コンテンツに応じた情報を出力させる。
【００２０】
選択手段１５は、処理対象となる第１コンテンツ又は第２コンテンツが複数ある場合に、複数の候補の中からいずれかを選択する手段である。選択手段１５は、第１コンテンツと第２コンテンツの双方が複数あり、複数の第１コンテンツと複数の第２コンテンツの中から特定の第１コンテンツと第２コンテンツの組み合わせを選択する場合もあり得るが、一の第１コンテンツに対して複数の第２コンテンツの候補が存在し、当該複数の第２コンテンツの候補の中から特定の第２コンテンツを選択する場合（又は第１コンテンツと第２コンテンツを逆にした場合）もあり得る。
【００２１】
なお、選択手段１５は、図１では第１取得手段１１の一部であるように記載されているが、互いに独立して動作するものであってもよく、例えば、第１取得手段１１が既に取得した複数のコンテンツの中から特定のコンテンツを取得するように構成されてもよいし、第１取得手段１１が取得する前に取捨選択するように構成されてもよい。
【００２２】
記録手段１６は、ユーザの操作に応じた出力手段４０による出力結果を記録する手段である。記録手段１６は、ユーザの操作に応じて、出力手段４０によってどのような情報が出力されたかを記録する。記録手段１６による記録は、記憶手段にデータを書き込むことであってもよいし、通信手段を介して外部の装置にデータを送信することであってもよい。
【００２３】
なお、第２取得手段１２、選択手段１５及び記録手段１６は、情報処理装置１０に必須の構成要素ではない。また、受付手段２０、表示手段３０及び出力手段４０の一部又は全部は、情報処理装置１０の構成要素に含まれてもよいし、情報処理装置１０に接続された他の装置の構成要素であってもよい。
【００２４】
図２は、本発明の一実施例である画像形成装置１００のハードウェア構成を示すブロック図である。画像形成装置１００は、制御部１１０と、記憶部１２０と、通信部１３０と、ＵＩ（User Interface）部１４０と、画像形成部１５０とを備える。なお、画像形成装置１００は、図２に示した構成のほかに、原稿を光学的に読み取る手段（スキャナなど）を備えてもよい。
【００２５】
制御部１１０は、画像形成装置１００の各部の動作を制御する手段である。制御部１１０は、ＣＰＵ（Central Processing Unit）、ＡＳＩＣ（Application Specific Integrated Circuit）などの演算処理装置とメモリとを備え、画像形成装置１００の各部とデータや信号の授受を行う。また、制御部１１０は、プログラムを実行することにより、上述した情報処理装置１０に相当する機能を実現する。
【００２６】
記憶部１２０は、データを記憶する手段である。記憶部１２０は、ハードディスクやフラッシュメモリなどの記憶媒体を備え、制御部１１０が用いるデータを記憶する。例えば、記憶部１２０は、表示データ及びプリントデータのほか、後述する履歴データを記憶してもよい。
【００２７】
本実施例において、表示データは、ＵＩ部１４０において表示される広告を表すコンテンツである。一方、プリントデータは、画像形成部１５０において用紙に形成される画像を表すコンテンツである。プリントデータが表す画像は、例えば、商品又はサービスの広告、クーポンなどの金銭的価値を有するもの、観光地の地図又はパンフレットなどである。
【００２８】
表示データとプリントデータは、関連付けを有する。表示データとプリントデータは、その内容に基づいて関連付けられる。例えば、プリントデータがある商品（商品Ａ）を購入するときに用いられる割引券を表す場合、当該プリントデータに関連付けられる表示データは、当該ある商品を購入するユーザが興味・関心を抱く可能性が高い別の商品（商品Ｂ）の広告を表す。
【００２９】
ここにおいて、表示データとプリントデータは、画像形成装置１００の管理者又は本実施例のサービスを提供する提供者（以下これを「管理者等」と総称する。）によって、あらかじめ関連付けられる。管理者等は、例えば、商品Ａ、Ｂの販売を行う企業などから表示データ及びプリントデータの提供をそれぞれ受け、その類似性や関連性を判断してこれらを関連付ける。あるいは、表示データとプリントデータは、互いの内容を特徴付ける属性情報（商品やサービスのジャンル、ターゲットとなる年齢や性別、提供される地域など）を含み、この属性情報が共通するもの同士が機械的に関連付けられてもよい。
【００３０】
通信部１３０は、他の装置とデータを送受信する手段である。通信部１３０は、ネットワークカードなどの通信インターフェースを備え、インターネットやＬＡＮ（Local Area Network）などのネットワークに接続し、当該ネットワークに接続された他の装置（サーバ装置等）と通信を行う。
【００３１】
ＵＩ部１４０は、ユーザと情報をやり取りする手段である。ＵＩ部１４０は、本実施例においては、情報を表示するとともにユーザの操作を受け付ける表示領域であるタッチスクリーンと、各種のボタンとを備える。ただし、ＵＩ部１４０は、必ずしもタッチスクリーンを備えなくてもよく、表示装置と入力装置とをそれぞれ備えた構成であってもよい。また、ＵＩ部１４０は、広告の表示に合わせて音声や音楽を再生するためのスピーカを備えてもよい。
【００３２】
画像形成部１５０は、用紙に画像を形成する手段である。画像形成部１５０は、本実施例においては、電子写真方式であり、帯電、露光、現像、転写、定着といったプロセスを経てトナーによる画像を用紙の一面又は両面に形成するものであるとする。なお、画像形成部１５０は、他の記録方式（インクジェット方式、熱転写方式、ドットインパクト方式など）であってもよく、また、モノクロ、カラーの別を問わない。
【００３３】
本実施例において、制御部１１０は、情報処理装置１０（すなわち第１取得手段１１、第２取得手段１２、表示制御手段１３、出力制御手段１４、選択手段１５及び記録手段１６）の一例に相当する。また、ＵＩ部１４０は、受付手段２０及び表示手段３０の一例に相当し、画像形成部１５０は、出力手段４０の一例に相当する。ただし、受付手段２０と表示手段３０は、タッチスクリーンとして一体に構成されている必要はなく、それぞれ独立した構成要件として構成されてもよい。
【００３４】
画像形成装置１００の構成は、以上のとおりである。この構成のもと、画像形成装置１００は、ユーザの操作に応じて、表示データに応じた広告をタッチスクリーンに表示するとともに、プリントデータに応じた画像を用紙に形成する。すなわち、表示データは、本発明の「第１コンテンツ」の一例に相当し、プリントデータは、本発明の「第２コンテンツ」の一例に相当する。画像形成装置１００の動作は、具体的には、以下の動作例に示すように、複数の態様が考えられる。なお、以下の各動作例は、必要に応じて、他の動作例と組み合わせて実施されてもよい。
【００３５】
（動作例１）
図３は、本動作例におけるデータの関連付けを示す図である。本動作例において、ユーザには、識別情報が与えられるものとする。識別情報は、あらかじめ決められた桁数の数字であってもよいし、いわゆるＩＤやパスワード（又はその組み合わせ）であってもよい。本動作例において、表示データとプリントデータの組み合わせは、識別情報によって一意的に特定される。なお、識別情報は、ユーザ毎に全て異なっている必要はなく、一部のユーザにおいて共通であってもよい。
【００３６】
本動作例において、ユーザは、ウェブサイトを閲覧したり、電子メール（メールマガジン）を閲覧したりすることによって、識別情報を知得する。その後、ユーザは、画像形成装置１００が設置されている場所（公共施設、コンビニエンスストアなど）に行き、ＵＩ部１４０を介して識別情報を入力することで、識別情報に応じたサービスの提供を受けられる。なお、このサービスは、画像形成装置１００が複数設置されている場合に、いずれの装置においてもサービスが受けられるものであってもよいし、識別情報が特定の画像形成装置１００に関連付けられ、特定の場所に行かなければサービスが受けられないものであってもよい。
【００３７】
また、ここでは、画像形成装置１００は、ある商品のクーポンを用紙に形成し、これをユーザに提供するものであるとする。このとき、画像形成装置１００は、当該ある商品と一緒に購入することが推奨される別の商品の広告をＵＩ部１４０のタッチスクリーンに表示することとする。あるいは、画像形成装置１００は、ある観光地の地図やパンフレットを用紙に形成し、当該観光地で購入できる特産品の広告を表示するものであってもよい。
【００３８】
図４は、本動作例における画像形成装置１００の処理を示すフローチャートである。本動作例において、画像形成装置１００の制御部１１０は、ＵＩ部１４０によってユーザから識別情報の入力を受け付けることにより、識別情報を特定する（ステップＳａ１）。制御部１１０は、より詳細には、ＵＩ部１４０から操作情報を取得することによって識別情報を特定する。
【００３９】
次に、制御部１１０は、識別情報に関連付けられた表示データ及びプリントデータを特定する（ステップＳａ２）。図３に示したデータは、画像形成装置１００の記憶部１２０に記憶されていてもよいが、外部のサーバ装置に記憶されていてもよい。図３に示したデータがサーバ装置に記憶されている場合には、制御部１１０は、ステップＳａ１において特定した識別情報をサーバ装置に送信することによって表示データ及びプリントデータを問い合わせ、送信した識別情報に対応する表示データ及びプリントデータを応答として受信する。
【００４０】
このように表示データ及びプリントデータを特定したら、制御部１１０は、表示データに応じた広告をＵＩ部１４０のタッチスクリーンに表示し（ステップＳａ３）、プリントデータに応じた画像を画像形成部１５０に形成するようにこれらを制御する（ステップＳａ４）。なお、ステップＳａ３、Ｓａ４の処理は、必ずしもこの順番で実行されなくてもよく、また、並列的に実行されてもよい。ＵＩ部１４０による広告の表示は、画像が用紙に形成されるまでの間に行われてもよいし、画像が用紙に形成された後に行われてもよい。
【００４１】
ユーザは、本実施例のサービスを受けることによって、ある商品のクーポンを得るときに当該ある商品と関連する別の商品の広告を視聴する機会を得る。この場合、広告の提供者（すなわち広告主）にあっては、当該ある商品との関連付けを用いずに無作為に広告を出す場合に比べ、当該広告に対する興味・関心を有する可能性がより高いユーザに当該広告を視聴させられる機会が増大する。また、画像形成装置１００は、画像形成に連動して広告を表示することにより、画像形成と無関係な広告を表示する場合に比べ、当該装置の付近に当該広告を実際に視聴するユーザがいる可能性をより高められるともいえる。
【００４２】
なお、ユーザは、本動作例のサービスを無料で利用可能であってもよい。この場合、画像形成装置１００による画像形成に係る料金は、表示データ又はプリントデータの提供者（広告主）が負担してもよいし、上述した管理者等が負担してもよい。すなわち、ユーザは、コンビニエンスストア等においてこのサービスを利用する場合においても、その対価を必ずしも要しない。
【００４３】
また、表示データ及びプリントデータは、識別情報と直接関連付けられるのではなく、ユーザ情報を介して関連付けられてもよい。
図５は、本動作例におけるデータ構造の他の例を示す図である。この例において、識別情報は、ユーザ情報に関連付けられている。また、ユーザ情報には、少なくともユーザの属性情報が含まれているものとする。さらに、表示データ及びプリントデータ（又はその一方）には、ユーザの識別情報に対応する属性情報が含まれているものとする。識別情報とユーザ情報の組み合わせは、外部のサーバ装置に記憶されており、画像形成装置１００が識別情報に基づいて問い合わせるものであってもよい。
【００４４】
図５の例において、制御部１１０は、ステップＳａ１において、識別情報を特定することによりユーザ情報を特定する。そして、制御部１１０は、ステップＳａ２において、ユーザ情報に含まれる属性情報に基づいて、対応する属性情報を有する表示データ及びプリントデータの組み合わせを特定する。例えば、ここでいう属性情報がユーザの性別である場合、制御部１１０は、ユーザが男性であれば男性向けの広告（すなわち、「男性」という属性が関連付けられた広告）を表示させ、ユーザが女性であれば女性向けの広告を表示させる。
【００４５】
（動作例２）
本動作例は、画像形成部１５０による画像形成に待ち時間が生じる場合に、その待ち時間を利用して広告を表示するものである。例えば、画像形成部１５０の記録方式が電子写真方式である場合、画像形成装置１００に電源が投入された直後や、画像形成装置１００がいわゆるスリープ状態（画像形成装置１００の一部の機能を停止させ、電力消費を押さえた状態）から復帰した直後などに、相応の待ち時間が発生する場合がある。あるいは、画像形成する用紙の枚数や、画像形成を両面に行うか否かによっても、待ち時間は異なる。また、このような待ち時間の長さは、画像形成装置１００の状況に応じて変化することがある。本動作例において、画像形成装置１００は、待ち時間の長さに応じた広告を表示する。
【００４６】
図６は、本動作例のデータ構造を例示する図である。本動作例においては、一のプリントデータに対して複数の異なる表示データが関連付けられている。表示データは、それぞれが動画による広告を表すものであり、互いにその再生時間が異なっている。ここでは、表示データは、再生時間が１０秒のものと、３０秒のものと、６０秒のものがあるとする。なお、本動作例においては、上述した動作例１と異なり、識別情報は必須ではない。すなわち、本動作例においては、ユーザが自ら所望のプリントデータ（クーポン等）を選択してもよい。
【００４７】
図７は、本動作例における画像形成装置１００の処理を示すフローチャートである。本動作例において、画像形成装置１００の制御部１１０は、ユーザの操作などによって画像形成を開始するときに、画像が形成可能になるまでの時間を特定し、これをユーザの待ち時間とする（ステップＳｂ１）。ここでいう待ち時間は、そのときどきの画像形成装置１００の状態に応じて、あらかじめ特定可能なものであるとする。換言すれば、画像形成装置１００は、待ち時間を算出して特定する機能を有している。
【００４８】
待ち時間を特定したら、制御部１１０は、待ち時間に応じた表示データを特定する（ステップＳｂ２）。例えば、制御部１１０は、各表示データの再生時間と待ち時間の差を算出し、その差が最小となる表示データを表示対象として特定する。あるいは、制御部１１０は、再生時間が待ち時間以下の表示データのうちの再生時間が最長のものを表示対象としてもよい。なお、プリントデータは、表示データから一意的に特定される。
【００４９】
そして、制御部１１０は、ステップＳｂ２において特定した表示データに応じた広告をＵＩ部１４０のタッチスクリーンに表示させる（ステップＳｂ３）。その後、制御部１１０は、画像が形成可能な状態になったら、プリントデータに応じた画像を画像形成部１５０に形成させる（ステップＳｂ４）。
【００５０】
なお、画像形成装置１００は、再生時間が待ち時間よりも長い広告を表示してもよく、画像形成後に広告を表示し続けてもよい。また、広告の再生時間は、待ち時間より短くてもよい。すなわち、画像形成装置１００は、少なくとも画像形成部１５０による画像形成に伴う待ち時間の少なくとも一部において広告を表示すればよい。
【００５１】
（動作例３）
本動作例は、ＵＩ部１４０による広告の表示に対応してユーザの操作を受け付け、受け付けた操作に応じた画像形成を行うものである。ＵＩ部１４０は、例えば広告の表示の前後又は表示中に、ユーザに選択肢を提示し、ユーザの操作を促す。画像形成装置１００は、ユーザの操作に応じて、画像形成の態様を異ならせる。
【００５２】
図８は、本動作例のデータ構造を例示する図である。本動作例の表示データは、プリントデータに加えて関連データが関連付けられている。関連データは、プリントデータとは異なるデータであるが、用紙に形成される画像を表すデータである。例えば、関連データは、表示データによって表示される広告に関連する商品やサービスの情報を表すデータなどである。なお、関連データは、図８では３種類あるが、その数は特に限定されない。
【００５３】
具体例を挙げると、関連データは、表示データによって表示される広告が飲料（お茶）である場合に、当該飲料を購入するユーザの評価が高い他の飲料の広告や、当該飲料を購入するユーザがよく購入している他の商品（飲料、食品など）の広告を表すものであってもよい。また、関連データは、表示データによって表示される広告が無料のゲームの広告である場合に、当該ゲームに関連する別のゲーム（例えば有料のゲーム）を表すものであってもよい。さらに、表示データによって表示される広告がゲームである場合、そのゲームはタッチスクリーン等を介して実際に遊べるものであってもよい。
【００５４】
図９は、本動作例における画像形成装置１００の処理を示すフローチャートである。本動作例において、画像形成装置１００の制御部１１０は、まず、表示対象となる表示データを特定する（ステップＳｃ１）。なお、ユーザは、表示データ又はプリントデータのいずれかを自ら指定してもよい。あるいは、制御部１１０は、動作例１で説明したようにユーザ情報を取得し、ユーザ情報に応じた表示データを用いてもよい。
【００５５】
表示データを特定したら、制御部１１０は、特定した表示データに応じた広告をＵＩ部１４０のタッチスクリーンに表示させる（ステップＳｃ２）。このとき、タッチスクリーンには、ユーザの操作を受け付けるための画像（ボタン、アイコン等）が再生時間の少なくとも一時期において表示される。
【００５６】
図１０は、ＵＩ部１４０により表示される画面の一例を示す図である。制御部１１０は、関連データを選択するための画面をこのように表示させる。この例においては、商品Ｘ、Ｙ、Ｚという３種類の商品があり、この３種類の商品のいずれの情報をより詳細に知りたいかを選択肢（ボタン）によってユーザに選択させるものとする。なお、図１０の記載は、あくまでも一例であり、選択肢の表示態様はこの例に限定されない。例えば、これらの選択肢は、それぞれが同時に表示されずに、広告の再生中に順次表示されてもよい。
【００５７】
制御部１１０は、広告を表示させるとともに、ユーザの操作が受け付けられたか否かを判断する（ステップＳｃ３）。制御部１１０は、あらかじめ決められた時間内（例えば、広告の表示中など）にユーザによる選択肢の選択があったか否かを判断し、判断結果に応じた処理を実行する。
【００５８】
ここで、ユーザの操作があった場合、制御部１１０は、受け付けられた操作に応じた関連データを特定し、プリントデータに応じた画像（第１画像）と当該関連データに応じた画像（第２画像）とを画像形成部１５０に形成させる（ステップＳｃ４）。このとき、画像形成部１５０は、第１画像と第２画像と別の用紙に形成してもよいが、第２画像が形成された用紙を取り忘れないように、第１画像を用紙の一方の面（表）に形成し、第２画像を用紙の他方の面（裏）に形成するなどして２つの画像を１枚の用紙内に収めるようにしてもよい。あるいは、制御部１１０は、ＵＩ部１４０を介して、ここでいう第２画像が形成されたことを音声又は画像によって報知してもよい。
【００５９】
一方、ユーザの操作がなかった場合、制御部１１０は、画像形成部１５０に対して、関連データに応じた画像を形成させることなく、プリントデータに応じた画像を形成させる（ステップＳｃ５）。すなわち、制御部１１０は、関連データに応じた画像を形成させるか否かをユーザの操作に応じて異ならせる。
【００６０】
ステップＳｃ４、Ｓｃ５のいずれかの画像形成を実行したら、制御部１１０は、ユーザの操作と画像形成部１５０の処理結果の関係を示す履歴データを記憶部１２０に記録する（ステップＳｃ５）。あるいは、制御部１１０は、通信部１３０を介して外部のサーバ装置に履歴データを送信してもよい。例えば、このとき制御部１１０は、選択された関連データ、当該関連データと関連付けられた表示データ又はプリントデータなどを履歴データとして記録する。制御部１１０は、広告の表示及び画像形成を実行する毎に履歴データを記録する。このように記録された履歴データは、マーケティング情報として広告主等に提供される。広告主等は、履歴データを参照して、ユーザに注目された商品がどの商品であったかや、関連データとプリントデータ（又は関連データと表示データ）の有効な組み合わせなどの情報を得る。
【００６１】
なお、画像形成装置１００は、画像形成において、プリントデータを用いなくてもよい。すなわち、画像形成装置１００は、ＵＩ部１４０に広告を表示し、当該広告の表示に対応して行われるユーザの操作に応じて、関連データに応じた画像を用紙に形成する構成であってもよい。この場合には、関連データが本発明の「第２コンテンツ」の一例に相当する。また、この場合において、画像形成装置１００は、ユーザの操作がない場合には画像形成を行わないように構成されてもよい。
【００６２】
［変形例］
本発明の実施の形態は、上述した実施例に限定されるものではなく、例えば、以下の変形例に示す形態であってもよい。また、これらの変形例は、必要に応じて、併用したりその一部を置き換えたりすることによって、互いに組み合わされてもよい。
【００６３】
（変形例１）
画像形成装置１００は、上述した動作例１において、識別情報に代えてユーザ情報を取得するように構成されていてもよい。例えば、画像形成装置１００は、ユーザが所持する電子機器（携帯電話機、スマートフォン、ノート型のパーソナルコンピュータなど）と通信する通信手段を備え、当該電子機器からユーザ情報を受信するように構成されてもよい。かかる通信手段としては、例えば、ＮＦＣ（Near Field Communication）などの通信規格に準拠した無線通信が挙げられる。
【００６４】
あるいは、画像形成装置１００は、ユーザを撮影する手段（カメラ等）を備え、ユーザを撮影することによって性別や年齢などの属性を判断してもよい。この場合、ユーザを撮影する手段が、ユーザ情報を取得する手段に相当し得る。さらには、ユーザの声を録音し、録音した声に基づいて性別や年齢などの属性を判断してもよい。
【００６５】
（変形例２）
画像形成装置１００は、プリントデータと表示データを関連付ける手段を備えていてもよい。例えば、画像形成装置１００は、スキャナによって原稿を読み取ることによって、プリントデータを生成する場合、原稿を画像認識することによって原稿に含まれる文字や画像を特定し、特定した文字や画像に関連する表示データをプリントデータに関連付けるように構成されてもよい。あるいは、画像形成装置１００は、ユーザからＵＲＬ（Uniform Resource Locator）を指定されて商品等が掲載されたウェブページをプリントする場合であれば、当該ＵＲＬ又は当該ウェブページに記載された文字列に関連する広告を特定し、当該広告を表す表示データを当該ウェブページのプリントデータに関連付けてもよい。
【００６６】
（変形例３）
本発明に係る出力手段は、画像を形成する手段に限定されない。ただし、出力手段は、情報を可搬性の記録媒体に出力するものであると望ましい。ここにおいて、可搬性の記録媒体とは、用紙、メモリカード、ＩＣチップなどをいう。すなわちこの場合、表示手段がその場で情報を確認するための手段であるのに対して、出力手段は情報を持ち出して確認することを可能にする手段であるといえる。
【００６７】
（変形例４）
本発明は、コンピュータに本発明に係る情報処理装置の機能を実現させるためのプログラムとして提供されてもよいし、かかるプログラムを記録した記録媒体の形態で提供されてもよい。さらに、本発明に係るプログラムは、ネットワークやその他の通信手段を介して外部装置から取得され、情報処理装置にダウンロードされてもよい。また、本発明に係る情報処理装置は、表示手段や出力手段を備える装置ではなく、当該装置にネットワークを介して接続されるサーバ装置に備わる構成であってもよい。
【符号の説明】
【００６８】
１０…情報処理装置、１１…第１取得手段、１２…第２取得手段、１３…表示制御手段、１４…出力制御手段、１５…選択手段、１６…記録手段、２０…受付手段、３０…表示手段、４０…出力手段、１００…画像形成装置、１１０…制御部、１２０…記憶部、１３０…通信部、１４０…ＵＩ部、１５０…画像形成部
【図１】
2014206854.tif 000003
【図２】
2014206854.tif 000004
【図３】
2014206854.tif 000005
【図４】
2014206854.tif 000006
【図５】
2014206854.tif 000007
【図６】
2014206854.tif 000008
【図７】
2014206854.tif 000009
【図８】
2014206854.tif 000010
【図９】
2014206854.tif 000011
【図１０】
2014206854.tif 000012